(57)【要約】【課題】ノンリニアバンクシステムとしてはダビング機能を有さず、マスターテープ等をダビングする際は１対１でＶＴＲ同士を繋ぐだけであった。１対１のＶＴＲでダビングをする際、単純に素材のダビングが出来るだけであり、画角変換、音声マッピングなど行なえない。しかも、再生側と収録側のＶＴＲを変更する際はケーブルを繋ぎ直す等、手間のかかる作業も必要であった。【解決手段】ノンリニアバンクシステムにおけるマトリックススイッチャを主とした素材収録／プレビュー系統を使用し、ダビングプロセスを追加するそして、収録の際、アップコンバータ、ダウンコンバータ、ＶＢＩ／ＡＮＣ変換、音声プロセッサを用い、画角変換や音声マッピングを行い収録を行なうこと可能とした。【選択図】図２
2009130426.tif 000002
【特許請求の範囲】
【請求項１】
映像記録再生器と、映像音声変換器と、マトリックススイッチャーと、サーバと、上記マトリックスを切換えて素材の収録及びプレビュー作業を行うバンク登録コントローラとを備えたノンリニアバンクシステムにおいて、
タイムコードスイッチャを備え、
上記バンク登録コントローラは、上記タイムコードスイッチャと上記マトリックススイッチャーとを制御し、任意の上記映像記録再生器を使って記録媒体に上記素材をダビングすることを特徴とするノンリニアバンクシステム。
【発明の詳細な説明】
【技術分野】
【０００１】
本発明はノンリニアバンクシステムにおけるＶＴＲ（ Video Tape Recorder ）へのダビングに関するものである。
【背景技術】
【０００２】
従来のノンリニアバンクシステムは、ＶＴＲ（ Video Tape Recorder ）のダビング機能を備えておらず、マスターテープ等をダビングする場合には、ＶＴＲ同士を１対１で結線して実行するだけであった。なお、マスターテープ等をダビングするケースは、例えばＶＴＲからＶＴＲへのダビングとして、オリジナルテープを返却する際に顧客の承諾を得てバックアップコピーを取る場合、若しくは、テストテープを作成する場合、等がある。また更に、サーバからＶＴＲへのダビングとして、自社制作の素材をバンクシステムに登録し、その後、テープが無くなっており、以後この素材を番組で利用する場合にサーバからテープにコピーすることがある。
【特許文献１】特開２００５−２７７７０２号公報
【発明の開示】
【発明が解決しようとする課題】
【０００３】
図１は、従来のノンリニアバンクシステムの構成を図１によって示す図である。図１に示すように、ＨＤ（ High Definition：ハイビジョン）素材は、ＶＴＲ（ Video Tape Recorder ）１１〜１２で再生されることによって、また、ＳＤ（ Standard Definition ）素材は、ＶＴＲ（ Video Tape Recorder ）１３〜１４で再生されることによって、どちらも共にマトリックススイッチャー２を介して、サーバ４へ収録される。
また従来、ＶＴＲ同志で１対１のダビングをする際、単純に素材のダビングができるだけであり、画角変換、音声マッピング、等の編集ができない、自由度の低いダビング方法しかなかった。そしてまた、ダビング作業の前後には、再生側のＶＴＲと収録側のＶＴＲとで、ケーブルの結線を変更する必要があった。
また、特許文献１のように、映像を編集する際にはダビング等を映像記録再生装置同志を接続して実行することができるが、ノンリニアバンクシステムのように番組を送出するシステムそのものには無かった。
本発明の目的は、上記のような問題を解決し、ケーブルの繋ぎ換え等の結線変更の必要が無く、任意のＶＴＲへのダビングを行うことのできるノンリニアバンクシステムを提供することにある。
【課題を解決するための手段】
【０００４】
上記の目的を達成するために、本発明のノンリニアバンクシステムは、ＨＤ用ＶＴＲとＳＤ用ＶＴＲをそれぞれ複数備え、ＨＤ形式の映像が記録されたビデオ媒体若しくはＳＤ形式の映像が記録されたビデオ媒体を再生することによって、映像音声変換器やサーバとの入出力を切り替えるマトリックススイッチャを介してサーバに収録し、サーバからＯＡ（ On Air ）するノンリニアバンクシステムにおいて、更に、タイムコードスイッチャを備え、ユーザの端末器操作によりタイムコードスイッチャを切替えることによって、ダビング可能としたものである。
即ち、本発明のノンリニアバンクシステムは、映像記録再生器と、映像音声変換器と、マトリックススイッチャーと、サーバと、上記マトリックスを切換えて素材の収録及びプレビュー作業を行うバンク登録コントローラとを備えたにおいて、タイムコードスイッチャを備え、上記バンク登録コントローラは、上記タイムコードスイッチャと上記マトリックススイッチャーとを制御し、任意の上記映像記録再生器を使って記録媒体に上記素材をダビングすることを特徴とする。
【発明の効果】
【０００５】
本発明によれば、ノンリニアバンクシステムにダビング機能を新たに備えることで、システムに接続される全てのＶＴＲに対してケーブルの結線変更を必要とせずに、ダビングを行なう作業が可能となる。
【発明を実施するための最良の形態】
【０００６】
以下、本発明の一実施例について、図２を参照して説明する。図２は、本発明の一実施例のノンリニアバンクシステムの構成を示す図である。１１と１２はＨＤ用の映像記録再生器（ＨＤＶＴＲ）、１３と１４はＳＤ用の映像記録再生器（ＳＤＶＴＲ）、２はマトリックススイッチャ、３は映像音声変換器、４はサーバ、５はバンク登録コントローラ、６１は登録／プレビュー端末Ａ、６２は登録／プレビュー端末Ｂ、７はＴＣ（ Time Code）スイッチャである。また、破線はＨＤ（ハイビジョン）の系統の信号線、二点鎖線はＳＤ系統の信号線、実線は制御系の信号線、一点鎖線はＴＣ系統の信号線である。ＨＤ用の映像記録再生器１１及び１２、並びに、ＳＤ用の映像記録再生器１３及び１４は、例えば、ＶＴＲ（ Video Tape Recorder ）である。
バンク登録コントローラ５は、バンクシステムで素材を登録するために、当該制御対象の機器（例えば、ＶＴＲ１１〜１４、サーバ４、映像音声変換変換器３、等）を制御するもので、例えば、制御用コンピュータである。
【０００７】
図２のノンリニアバンクシステムの構成は、従来の図１の構成に加えて、ＴＣスイッチャ７を設け、ＴＣスイッチャによって、ＨＤＶＴＲ１１及び１２、若しくは、ＳＤＶＴＲ１３及び１４のいずれか一方を再生用とし、他方を録画用として用いるものである。また、ＨＤＶＴＲ１１若しくは１２と、ＳＤＶＴＲ１３若しくは１４のいずれか一方を再生用とし、他方を録画用として用いるものである。
図２において、通常、ＨＤ素材、ＳＤ素材共にノンリニアバンクシステムにおけるマトリックススイッチャー２に入力しサーバ４へ収録する系統となっている。仕様によっては収録の際、アップコンバータ、ダウンコンバータ、ＶＢＩ（ Vertical Blanking Interval ）／ＡＮＣ（ Active Noise Control ）変換、音声プロセッサを通し、画角変換や音声マッピングを行い収録を行なう。
また、収録済み素材のプレビューに関してもサーバ４のデコーダからＰＶ系統を介してマトリックッススイッチャー２を通し各々プレビュー卓（登録／プレビュー端末Ａ６１、登録／プレビュー端末Ｂ６２）への系統となっている。
本発明では図２のようなノンリニアバンクシステムにおけるマトリックススイッチャーを主とした素材収録／プレビュー系統を使用し、ダビングプロセスを追加することでノンリニアバンクシステムとしてのＶＴＲのダビングを可能とした。
【０００８】
図３と図４を用いて、本発明のダビング処理の一実施例の動作を説明する。図３は、ノンリニアバンクシステムにおいて、ダビングに必要な構成要素を図示したブロック図である。また、図４は、ダビングの処理動作を説明するためのフローチャートである。
また図３では、マトリックススイッチャ（図２のマトリックススイッチャ２参照）とＴＣスイッチャー（図２のＴＣスイッチャー７を参照）は省略しているが、バンク登録コントローラ５の制御に応じてマトリックススイッチャ若しくはＴＣスイッチャーの少なくともいずれかが動作し、各構成要素間で信号が伝達されていることに変わりは無い。
【０００９】
図３のバンクシステムにおいて、先ず図４の再生側ＶＴＲセットステップ４０１では、ユーザは、再生用の媒体を映像記録再生装置（例えば、図４の場合には、ＨＤＶＴＲ１１若しくはＳＤＶＴＲ１３）に装着する。
次に、同様に、ユーザは、図４の録画側ＶＴＲセットステップ４０２では、ユーザは、録画用の媒体を映像記録再生装置（例えば、図４の場合には、ＨＤＶＴＲ１２若しくはＳＤＶＴＲ１４）に装着する。
なお、ステップ４０１と４０２は処理順序は、逆でも良い。
【００１０】
次に、ダビング操作開始ステップ４０３では、ユーザは、登録／プレビュー端末Ａ６１、登録／プレビュー端末Ｂ６２、若しくは登録／プレビュー端末Ｃ６３のいずれかを操作して、ダビング操作を開始する。
次に、バンク登録コントローラ５は、ダビング操作開始の信号を受けて、再生用ＶＴＲステータスチェックステップ４０４で、各構成要素（各構成機器）のステータスをチェックする。なお、以下、特に説明しない限り、処理動作は、バンク登録コントローラ５が実行しているものとする。
そして、再生用ＶＴＲ（例えば、ＨＤＶＴＲ１１若しくはＳＤＶＴＲ１３）のステータスが再生可能な状態であれば再生開始頭出しステップ４０６に進み、再生可能な状態で無ければ、再生用ＶＴＲステータスチェックステップ４０４を始めからやり直す。
【００１１】
再生開始頭出しステップ４０６では、再生用ＶＴＲを制御して、再生の開始ができるスタンバイ状態とする。即ち、もし、再生する媒体が磁気テープ等であれば、再生開始先頭部に再生ヘッドが位置する状態で待機する。また、再生する媒体がノンリニアで再生可能な媒体であれば、その開始アドレスで再生開始できるように待機する。
次に、録画側ＶＴＲステータスチェックステップ４０７では、録画用ＶＴＲ（例えば、ＨＤＶＴＲ１２若しくはＳＤＶＴＲ１４）のステータスが録画可能な状態であればＴＣスイッチャーステータスチェックステップ４０８に進み、録画可能な状態で無ければ、録画用ＶＴＲステータスチェックステップ４０７を始めからやり直す。
【００１２】
ＴＣスイッチャーステータスチェックステップ４０８では、ＴＣスイッチャー７のステータスをチェックし、サーバ４、再生用ＶＴＲ、録画用ＶＴＲの接続が適正な状態になったか否かをチェックする。適正な状態であれば、マトリックス（ＭＴＸ）スイッチャーステータスチェックステップ４０９に進み、不適正な状態であれば、ＭＴＸスイッチャーステータスチェックステップ４０９を繰り返す。
ＭＴＸスイッチャーステータスチェックステップ４０９では、サーバ４、再生用ＶＴＲ、録画用ＶＴＲ、リエントリー系統である映像音声変換器３（オリジナルダビング音声プロセッサ３１、Ｄ／Ｃ（ Down Convert：ダウンコンバート）音声プロセッサ３２、オリジナルダビング音声プロセッサ３３、及び、Ｕ／Ｃ（ Up Covert：アップコンバート）・ＶＢＩ（ Vertical Blanking Interval ）／ＡＮＣ（ Active Noise Control ）音声プロセッサ３４）の接続状態を確認する。即ち、バンクシステムが他のユーザ（若しくは、他の登録／プレビュー端末）や他の作業に使われていて、再生と録画を行い、映像音声変換器３が再生映像に所望の変換を施して録画するように切り換えが可能か否かリエントリー系統の状態を確認する。可能な状態であれば、映像音声変換処理制御ステップ４１０に進み、不可能な状態であれば、ＭＴＸスイッチャーステータスチェックステップ４０９を繰り返す。また、リエントリー系統とは、映像をマトリックススイッチャー２から映像音声変換処理を行う機器を介して再びマトリックススイッチャー２へ戻す系統を意味し、必ずしも、上記のオリジナルダビング音声プロセッサ３１、Ｄ／Ｃ音声プロセッサ３２、オリジナルダビング音声プロセッサ３３、及び、Ｕ／Ｃ音声プロセッサ３４だけではない。
【００１３】
映像音声変換処理制御ステップ４１０では、画角変換、音声変換、ＶＢＩ／ＡＮＣ変換、タイムコード変換等を実行する。
ＭＴＸスイッチャーＩ／Ｏライン制御ステップ４１１では、ＭＴＸスイッチャー２を制御して、入力線及び出力線を切換えて所望の結線を行う。
ＴＣスイッチャーＩ／Ｏライン制御ステップ４１２では、ＴＣスイッチャー７を制御して、入力線及び出力線を切換えて所望の結線を行う。
再生ＶＴＲ制御ステップ４１３では、再生用ＶＴＲ（例えば、ＨＤＶＴＲ１１若しくはＳＤＶＴＲ１３）の再生を開始する。
また、上記ステップ４１３の開始と共に再生され所定の変換がなされた素材は、録画制御ステップ４１４で、録画用ＶＴＲ（例えば、ＨＤＶＴＲ１２若しくはＳＤＶＴＲ１４）の録画を開始する。
録画ＶＴＲＳＴＯＰ制御ステップ４１５では、素材の録画が終わると、録画用ＶＴＲの録画を止めて素材の録画を終了する。
次に再生ＶＴＲ制御ステップ４１６では、再生用ＶＴＲの再生を止めて素材の再生を終了する。
以上によって、ダビングを終了する。
【００１４】
上記実施例において、ユーザは、登録／プレビュー端末Ａ６１、Ｂ６２、及びＣ６３、等から登録コントローラ５を介して再生側と収録側のＶＴＲに対してダビング制御を行なう。
ＨＤ素材を再生してＳＤ素材に変換して録画する場合はダウンコンバート（Ｄ／Ｃ）し、ＳＤ素材を再生してＨＤ素材に変換して録画する場合はアップコンバート（Ｕ／Ｃ）するというように、画角変換、音声変換、ＶＢＩ／ＡＮＣ変換を選択し、ノンリニアバンクシステムでの変換機器及び素材収録系統を使用しダビング操作を行なう。
また、その他、画素サイズの変更、アスペクト比の変更、映像形式の変更（ＭＰＥＧ４形式からＨ．２６４形式）も可能である。
また、ＴＣ（タイムコード）スイッチャー７を使用することで、素材のＶＩＴＣ（ Vertical Interval Time Code ）だけでなくＬＴＣ（ Longitudinal Time Code ）もダビング可能となる。さらにサーバ４からのプレビュー系統を使用することで収録済みの素材に関してもＶＴＲへのダビングを可能とした。
【００１５】
上述の実施例によれば、ノンリニアバンクシステムとしてダビング機能を有することで、システム内で繋がっている全てのＶＴＲに対してケーブルの繋ぎ換え等の結線変更を行わずに自動制御でダビングを行なうことができる。また、通常ノンリニアシステムで有する映像音声変換機器を利用することで画角変換、音声変換、ＶＢＩ／ＡＮＣ変換、等の自由度の高いダビング機能を可能とする。
更に、素材プレビュー系統を使用することでサーバに収録済みの素材に対してもＶＴＲヘダビングが可能である。
【図面の簡単な説明】
【００１６】
【図１】従来のノンリニアバンクシステムの構成を示す図。
【図２】本発明のノンリニアバンクシステムの一実施例の構成を示す図。
【図３】本発明のダビング処理の一実施例を実行するための構成を示す図。
【図４】本発明のダビング処理の一実施例の動作を説明するためのフローチャート。
【符号の説明】
【００１７】
２：マトリックススイッチャ、２：ＨＤ用の映像記録再生器（ＨＤＶＴＲ）、  ３：映像音声変換器、  ４：サーバ、  ５：バンク登録コントローラ、  ７：ＴＣ（ Time Code）スイッチャ、  １１、１  １３、１４：ＳＤ用の映像記録再生器（ＳＤＶＴＲ）、  ３１、３３：オリジナルダビング音声プロセッサ、  ３２：Ｄ／Ｃ音声プロセッサ、  ３４：Ｕ／Ｃ音声プロセッサ、  ６１：登録／プレビュー端末Ａ、  ６２：登録／プレビュー端末Ｂ。
【図１】
2009130426.tif 000003
【図２】
2009130426.tif 000004
【図３】
2009130426.tif 000005
【図４】
2009130426.tif 000006